(57)【要約】【課題】  本発明は、最終セット組立の前に特性テストが可能であるだけではなく組立及び分離が容易で生産性及びＡ／Ｓの便利性を高めたＤＳＣ一体型デジタルカムコーダ及びその製造方法を提供する。【解決手段】  本発明によるＤＳＣ一体型デジタルカムコーダは、外観の一側面及び第１半分部を構成し、最小限レンズを通じて入射される映像をデジタル動画信号に変換する第１カメラユニットと、第１カメラユニットと電気的に連結されて第１カメラユニットから得られた動画信号を処理する第１基板とを含む第１モジュールと、外観の他側面及び第２半分部を構成し、最小限レンズを通じて入射される映像をデジタル静止画信号に変換する第２カメラユニットと第２カメラユニットと電気的に連結されて第２カメラユニットから得られた静止画信号を処理する第２基板とを含む第２モジュールとを含む。【選択図】      図２
2005260952.tif 000002
【特許請求の範囲】
【請求項１】
外観の一側面及び第１半分部を構成し、最小限レンズを通じて入射される映像をデジタル動画信号に変換する第１カメラユニットと、前記第１カメラユニットと電気的に連結されて前記第１カメラユニットから得られた動画信号を処理する第１基板とを含む第１モジュールと、
外観の他側面及び第２半分部を構成し、最小限レンズを通じて入射される映像をデジタル静止画信号に変換する第２カメラユニットと、前記第２カメラユニットと電気的に連結されて前記第２カメラユニットから得られた静止画信号を処理する第２基板とを含む第２モジュールとを含むことを特徴とするＤＳＣ一体型デジタルカムコーダ。
【請求項２】
前記第１モジュールは、前記第１基板と電気的に連結されたデッキユニットと、前記第１基板及び前記第１カメラユニットが互いに結合されたデッキ組立体と、
前記デッキユニットに対応する開口を有し、前記第１基板と電気的に連結されたズームノブ、フォトシャッター、モード選択スィッチ及びレコーディングボタンの中で少なくとも一つが設置されて前記デッキ組立体の一側を囲む第１外観組立体と、
メモリーカードのような記録媒体装着部が具備されたドアケースを具備して前記第１外観組立体の開口を開閉させるデッキカバー組立体と、
前記デッキ組立体の後方を囲むように前記デッキ組立体に結合され、外側にはバッテリー装着部が具備されたリアケースと、前記リアケースの内側に支持されて前記第１基板に電気的に連結される第３基板を備えるリア組立体とを含むことを特徴とする請求項１記載のＤＳＣ一体型デジタルカムコーダ。
【請求項３】
前記第２モジュールは、前記第２基板と電気的に連結された前記第２カメラユニット及び第１ディスプレーユニット、前記第２基板に電気的に連結されるスピーカーユニットと、外部器機との連結のための複数の連結ポートと、前記第１ディスプレーユニットに表示されるメニューを選択するための複数の機能キーが設置された第２外観ケースとを具備し、前記デッキ組立体の他側を囲む第２外観組立体と、
前記第１カメラユニットと前記デッキ組立体の上部を覆うように結合され、出没可能に設置されるフラッシュユニットを含み、第２ディスプレーユニットを支持する上部ケースと、前記上部ケースに支持されるマイクユニットを有する上部組立体とを含むことを特徴とする請求項２記載のＤＳＣ一体型デジタルカムコーダ。
【請求項４】
前記第２カメラユニットは、前記第２基板の一側に支持され、前記第１外観組立体及び前記デッキ組立体との結合時に前記第１及び第２カメラユニットが上下に配置されたことを特徴とする請求項３記載のＤＳＣ一体型デジタルカムコーダ。
【請求項５】
前記第２基板は、前記第１基板と大略並んで配置され、前記デッキ組立体との結合時に前記第１基板に電気的に連結されたことを特徴とする請求項３記載のＤＳＣ一体型デジタルカムコーダ。
【請求項６】
前記第１モジュールの前記第１カメラユニットと前記第２モジュールの前記第２カメラユニットを前面で密閉するフロント組立体をさらに含むことを特徴とする請求項３記載のＤＳＣ一体型デジタルカムコーダ。
【請求項７】
前記フロント組立体は、前記第１及び第２カメラユニットの各々に対応するように開放された第１及び第２レンズフードを有するフロントケースと、
前記フロントケースの内側に支持され、前記第１及び第２基板の中で一つと電気的に連結されたリモートコントロールセンサーと照光センサーを有するセンサーモジュールとを含むことを特徴とする請求項６記載のＤＳＣ一体型デジタルカムコーダ。
【請求項８】
外観の一側面及び第１半分部を構成し、最小限レンズを通じて入射される映像をデジタル動画信号に変換する第１カメラユニットと、前記第１カメラユニットと電気的に連結されて前記第１カメラユニットから得られた動画信号を処理する第１基板とを含む第１モジュールを備える第１段階と、
前記第１モジュールをテストする第２段階と、
外観の他側面及び第２半分部を構成し、最小限レンズを通じて入射される映像をデジタル静止画信号に変換する第２カメラユニットと、前記第２カメラユニットと電気的に連結されて前記第２カメラユニットで得られた静止画信号を処理する第２基板とを含む第２モジュールを備える第３段階と、
前記第２モジュールをテストする第４段階と、
前記第１及び第２モジュールを結合組立てて前記第１基板と前記第２基板を電気的に連結する第５段階とを含むことを特徴とするＤＳＣ一体型デジタルカムコーダの製造方法。
【請求項９】
前記第１段階は、前記第１モジュールの前記第１基板と電気的に連結されたデッキユニットと、前記第１基板と電気的に連結された前記第１カメラユニットと、ズームノブ、フォトシャッター、モード選択スィッチ、レコーディングボタンの中で少なくとも一つと、メモリーカードのような記録媒体を装着する記録媒体装着部と、前記第１基板と電気的に連結されたバッテリーを制御する第３基板の電気的動作及び物理的な動作をテストすることを特徴とする請求項８記載のＤＳＣ一体型デジタルカムコーダの製造方法。
【請求項１０】
前記第４段階は、前記第２基板に電気的に連結される前記第２カメラユニットと、第１ディスプレーユニットと、スピーカーユニットと前記第１ディスプレーユニットに表示されるメニューを選択するための複数の機能キーとを有する第２外観ケースを含む第２外観組立体と、フラッシュユニットと、マイクユニットとを含む上部組立体の電気的な動作と物理的な動作をテストすることを特徴とする請求項８記載のＤＳＣ一体型デジタルカムコーダの製造方法。
【請求項１１】
前記第５段階は、前記第１カメラユニットと前記第２カメラユニットを上下で配置して組立てることを特徴とする請求項８記載のＤＳＣ 一体型デジタルカムコーダの製造方法。
【請求項１２】
前記第１モジュールの前記第１カメラユニットと前記第２モジュールの前記第２カメラユニットを前面で密閉するように組立が完了された前記第１及び第２モジュールにフロント組立体を結合及び組立てる第６段階と、
前記フロント組立体のセンサーモジュールをテストする第７段階とをさらに含むことを特徴とする請求項８記載のＤＳＣ一体型デジタルカムコーダの製造方法。
【請求項１３】
前記第７段階は、前記センサーモジュールの基板に設置されたリモートコントロールセンサーと、照光センサーと、赤外線発光素子に対する電気的な動作をテストすることを特徴とする請求項１２記載のＤＳＣ一体型デジタルカムコーダの製造方法。
【発明の詳細な説明】
【技術分野】
【０００１】
本発明は、デジタルカムコーダ及びその製造方法に関し、より詳しくは、動画を記録及び再生するデジタルビデオカメラ(ＤＶＣ)機能と静止画を記録及び再生するデジタルスチールカメラ(ＤＳＣ)機能を有するＤＳＣ一体型デジタルカムコーダ及びその製造方法に関する。
【背景技術】
【０００２】
最近、デジタルカムコーダは、消費者の多様な欲求によって被写体を撮影して静止画信号をメモリーカードに保存してプリンターを通じて印画するかＰＣなどを通じて再生するＤＳＣ機能を付け加えた形態で開発されている。
【０００３】
このようなＤＳＣ機能を付け加えたデジタルカムコーダは、一般的にカムコーダのＤＶＣ部で撮影された映像信号を回路的に処理して動画及び静止画を撮影及び再生することができるようにする形態が知られている。
【０００４】
しかし、このような形態のデジタルカムコーダは、動画のみを撮影する既存のカムコーダを大きく変更しないで具現することができる長所があるが、カムコーダのＤＶＣ部が動画撮影に適切に低解像度(例えば、ＤＶ形態のカムコーダの場合７２０×４８０)で規格化されているからＤＶＣ部を通じて得られる静止画の画質が低下される短所があった。
【０００５】
このような問題を防止するために、最近にはＤＶＣ部と別にＤＳＣ部を付着して動画及び静止画を撮影及び再生することができるようにするＤＳＣ一体型デジタルカムコーダが新たに開発されている。
【０００６】
しかし、このようなＤＳＣ一体型カムコーダは、ＤＶＣ部の解像度に関係なく別に装着されるＤＳＣ部の解像度によって静止画の画質が決まるので、ＤＳＣ部だけが高解像度を持つように構成すると、高解像度の静止画が得られる長所はあるが、各々独立された機能を持つＤＶＣ部とＤＳＣ部が一つの製品で結合される構造を持つので、構成が複雑になるか生産組立が難しくなる問題点があった。
【０００７】
例えば、ＤＶＣ部とＤＳＣ部が機能及び物理的な領域の区分なしに構成部品が完全に一体的に結合された構造を持つ場合、最終セット組立の前にＤＶＣ部とＤＳＣ部の各々に対する特性テストを実行することができないので、最終セット組立の後にテストするようになる。したがって、最終的に生産された製品は最終組立の前にＤＶＣ部とＤＳＣ部の各々に対するテストを経る場合に解消できる欠陷により不良に処理される場合があり、これによって生産性が低下される。
【０００８】
また、ＤＶＣ部とＤＳＣ部が機能及び物理的な領域で容易に分離されない場合、ＤＶＣ部またはＤＳＣ部の故障によるＡ／Ｓ時、故障原因によってＤＶＣ部またはＤＳＣ部のみを別に分離して修理できないので、カムコーダの全体部品を分離しなければならない問題点があった。
【０００９】
したがって、構造が簡単で容易に生産、組立、Ａ／Ｓなどを実行するためには、最終セット組立の前にＤＶＣ部とＤＳＣ部のテストが可能でＤＶＣ部とＤＳＣ部の分離組立が容易である構造を持つＤＳＣ一体型デジタルカムコーダが要求されている。
【発明の開示】
【発明が解決しようとする課題】
【００１０】
本発明は、上述したような従来技術の問題点を解決するためになされたもので、本発明の主な目的は、最終セット組立の前に特性テストが可能であるだけではなく、組立及び分離が容易で生産性及びＡ／Ｓの便利性を高めたＤＳＣ一体型デジタルカムコーダ及びその製造方法を提供することにある。
【課題を解決するための手段】
【００１１】
前記目的を達成するための本発明によるＤＳＣ一体型デジタルカムコーダは、外観の一側面及び第１半分部を構成し、最小限レンズを通じて入射される映像をデジタル動画信号に変換する第１カメラユニットと、第１カメラユニットと電気的に連結されて第１カメラユニットから得られた動画信号を処理する第１基板とを含む第１モジュールと、外観の他側面及び第２半分部を構成し、最小限レンズを通じて入射される映像をデジタル静止画信号に変換する第２カメラユニットと第２カメラユニットと電気的に連結されて第２カメラユニットから得られた静止画信号を処理する第２基板とを含む第２モジュールとを含む。
【００１２】
第１モジュールは、第１基板と電気的に連結されたデッキユニットと、第１基板及び第１カメラユニットが互いに結合されたデッキ組立体と、デッキユニットに対応する開口を有し、第１基板と電気的に連結されたズームノブ、フォトシャッター、モード選択スィッチ及びレコーディングボタンの中で少なくとも一つが設置されてデッキ組立体の一側を囲む第１外観組立体と、メモリーカードのような記録媒体装着部が具備されたドアケースを具備して第１外観組立体の開口を開閉させるデッキカバー組立体と、デッキ組立体の後方を囲むようにデッキ組立体に結合され、外側にはバッテリー装着部が具備されたリアケースと、リアケースの内側に支持されて第１基板に電気的に連結される第３基板とを備えるリア組立体とを備える。
【００１３】
第２モジュールは、第２基板と電気的に連結された第２カメラユニットと、第１ディスプレーユニットと、第２基板に電気的に連結されるスピーカーユニットと、外部器機との連結のための複数の連結ポートと、第１ディスプレーユニットに表示されるメニューを選択するための複数の機能キーが設置された第２外観ケースとを具備し、デッキ組立体の他側を囲む第２外観組立体と、第１カメラユニットとデッキ組立体の上部を覆うように結合され、出没可能に設置されるフラッシュユニットを含み、第２ディスプレーユニットを支持する上部ケースと、上部ケースに支持されるマイクユニットとを有する上部組立体とを備える。
【００１４】
第２カメラユニットは、第２基板の一側に支持され、第１外観組立体及びデッキ組立体との結合時に第１及び第２カメラユニットが上下に配置される。
【００１５】
第２基板は、第１基板と大略並んで配置され、デッキ組立体との結合時に第１基板に電気的に連結される。
【００１６】
本発明のＤＳＣ一体型デジタルカムコーダは、第１モジュールの第１カメラユニットと第２モジュールの第２カメラユニットを前面で密閉するフロント組立体をさらに含む。
【００１７】
フロント組立体は、第１及び第２カメラユニットの各々に対応するように開放された第１及び第２レンズフードを有するフロントケースと、フロントケースの内側に支持され、第１及び第２基板の中でいずれの一つと電気的に連結されたリモートコントロールセンサーと照光センサーを有するセンサーモジュールとを含む。
【００１８】
本発明の他の実施様態によると、本発明は、外観の一側面及び第１半分部を構成し、最小限レンズを通じて入射される映像をデジタル動画信号に変換する第１カメラユニットと、第１カメラユニットと電気的に連結されて第１カメラユニットから得られた動画信号を処理する第１基板とを含む第１モジュールを備える第１段階と、第１モジュールをテストする第２段階と、外観の他側面及び第２半分部を構成し、最小限レンズを通じて入射される映像をデジタル静止画信号に変換する第２カメラユニットと、第２カメラユニットと電気的に連結されて第２カメラユニットから得られた静止画信号を処理する第２基板とを含む第２モジュールを備える第３段階と、第２モジュールをテストする第４段階と、第１及び第２モジュールを結合組立てて第１基板と第２基板を電気的に連結する第５段階とを含むＤＳＣ一体型デジタルカムコーダの製造方法を提供する。
【００１９】
好ましくは、第１段階は、第１モジュールの第１基板と電気的に連結されたデッキユニットと、前記第１基板と電気的に連結された第１カメラユニットと、ズームノブ、フォトシャッター、モード選択スィッチ、レコーディングボタンの中で少なくとも一つと、メモリーカードのような記録媒体を装着する記録媒体装着部と、前記第１基板と電気的に連結されたバッテリーを制御する第３基板の電気的な動作及び物理的な動作をテストすることで行われる。
【００２０】
好ましくは、第４段階は、第２基板に電気的に連結される第２カメラユニットと、第１ディスプレーユニットと、スピーカーユニットと第１ディスプレーユニットに表示されるメニューを選択するための複数の機能キーとを有する第２外観ケースを含む第２外観組立体のフラッシュユニットと、マイクユニットを含む上部組立体の電気的な動作と物理的な動作をテストすることで行われる。
【００２１】
第５段階は、第１カメラユニットと第２カメラユニットを上下で配置して組立てることで行われる。
【００２２】
本発明によるデジタルカムコーダの製造方法は、第１モジュールの第１カメラユニットと第２モジュールの第２カメラユニットを前面で密閉するように組立が完了された第１及び第２モジュールにフロント組立体を結合及び組立てる第６段階と、フロント組立体のセンサーモジュールをテストする第７段階とをさらに含む。
【００２３】
好ましくは、第７段階は、センサーモジュールの基板に設置されたリモートコントロールセンサーと、照光センサーと、赤外線発光素子に対する電気的な動作をテストすることで行われる。
【発明の効果】
【００２４】
本発明によるＤＳＣ一体型デジタルカムコーダ及びその製造方法は、カムコーダをＤＶＣ機能を持つＤＶＣモジュールとＤＳＣ機能を持つＤＳＣモジュールで機能及び物理的に分離構成することにより、最終セット組立の前にＤＶＣ及びＤＳＣの特性テストが可能であるだけではなくＤＶＣモジュールとＤＳＣモジュールの組立及び分離が容易であるので生産性及びＡ／Ｓの便利性を高める效果がある。
【発明を実施するための最良の形態】
【００２５】
以下、添付の図面を参照して本発明によるＤＳＣ一体型デジタルカムコーダについて詳しく説明する。
【実施例１】
【００２６】
図１は、本発明の一実施例によるＤＳＣ一体型デジタルカムコーダの斜視図である。
【００２７】
本発明によるＤＳＣ一体型デジタルカムコーダ１は、ＤＶＣ機能を持つＤＶＣモジュールとＤＳＣ機能を持つＤＳＣモジュールで機能及び物理的に分離構成し、最終セット組立の前にＤＶＣ及びＤＳＣモジュールの機能テストが可能であるだけではなくＤＶＣモジュールとＤＳＣモジュールの組立及び分離を容易にして生産性及びＡ／Ｓの便利性を高めた。
【００２８】
図２は、図１に示したデジタルカムコーダの分解斜視図、図３は、図２に示したデジタルカムコーダのＤＶＣモジュールの分解斜視図、図４は、図２に示されたデジタルカムコーダのＤＳＣモジュールの分解斜視図、図５は、図２に示したデジタルカムコーダのＤＶＣモジュールの斜視図、図６は、図２でＤＶＣモジュールとＤＳＣモジュールが結合された状態を例示する斜視図である。
【００２９】
図２に示すように、本発明のＤＳＣ一体型デジタルカムコーダ１は、製品の一側面の外観と第１半分部を構成するＤＶＣモジュール１０と、製品の他側面の外観と第２半分部を構成するＤＳＣモジュール２０と、結合されたＤＶＣモジュール１０とＤＳＣモジュール２０の前面を密閉するフロント組立体７００とを含む。
【００３０】
図３に示すように、ＤＶＣモジュール１０は、動画を撮影する主な機能を有し、そのためにデッキユニット１１０とメイン基板１３０及び第１カメラユニット１４０が互いに結合されたデッキ組立体１００と、デッキユニット１１０に対応する開口３１１を有し、デッキ組立体１００の一側を囲む第１外観組立体３００と、第１外観組立体３００の開口３１１を開閉させるためのデッキカバー組立体４００と、デッキ組立体１００の後方を囲むリア組立体２００とを備える。
【００３１】
デッキ組立体１００は、デッキユニットと１１０と、デッキハウジング１２０と、メイン基板１３０と、第１カメラユニット１４０とを備える。
【００３２】
デッキユニット１１０は、磁気テープに映像を含むデータを記録及び記録されたデータを再生させるためのものである。デッキユニット１１０は、磁気テープに情報を記録し、記録された情報を再生するヘッドドラムを持つ。このデッキユニット１１０は、メインデッキ上でサブデッキが移動しながらテープカセットをヘッドドラム側へローディング及びアンローディングさせる構造を持つ。このようなデッキユニット１１０は、一般的に広く知られた構成なのでその以上の詳しい説明は省略する。
【００３３】
デッキハウジング１２０は、デッキユニット１１０を囲んで支持するためのもので、デッキユニット１１０が安着されて固定されるメインフレーム１２１と、メインフレーム１２１の上部にヒンジ結合されるドアフレーム１２３とを持つ。
【００３４】
ドアフレーム１２３は、デッキユニット１１０にテープカセットを装着及び分離する時、デッキユニット１１０の上部を開放させることができるようにメインフレーム１２１に開閉可能に連結される。ドアフレーム１２３はデッキカバー組立体４００と結合される。
【００３５】
したがって、図５に示されるように、デッキカバー組立体４００を開くと、ドアフレーム１２３が一緒に開放されながらデッキユニット１１０が機器外部へ露出されてテープカセットの装着及び分離が可能になる。デッキハウジング１２０は金属材質でプレス加工により製作できる。
【００３６】
メイン基板１３０は、メインフレーム１２１を間に置いてデッキユニット１１０と対応するように設置され、第１カメラユニット１４０から取得された映像信号を処理してデッキユニット１１０のヘッドドラムを通じて磁気テープに記録して再生する動作を制御する。したがって、メイン基板１３０は、デッキユニット１１０と第１カメラユニット１４０と相互信号伝達が可能にコネクターやＦＰＣを通じて電気的に連結される。勿論、メイン基板１３０は後述する多数の部品を制御するように直接または信号ケーブルを通じて連結して制御する。
【００３７】
第１カメラユニット１４０は、デッキハウジング１２０とメイン基板１３０に連結されて支持される。第１カメラユニット１４０は、主に動画を取得するためのデジタルビデオカメラとして、一般的なカムコーダなどに広く採用される技術構成である。第１カメラユニット１４０は、夜間にも赤外線撮影が可能にカメラ鏡筒１４１内部には赤外線フィルターが設置される。また、赤外線フィルターをオン/オフさせるためのフィルターレバー１４２がカメラ鏡筒１４１の外部に移動可能に設置される。
【００３８】
リア組立体２００は、デッキハウジング１２０にねじにより固定される。好ましくは、リア組立体２００は、撮影者の体側に位置するように、即ち、第１カメラユニット１４０の反対側に位置するようにメインフレーム１２１に固定される。
【００３９】
リア組立体２００は、リアケース２１０と、リアケース２１０の内側に結合されるリア基板２２０を備える。リアケース２１０の外側にはバッテリー(図示せず)が装着されるバッテリー装着部２１１が具備される。リア基板２２０はメイン基板１３０と信号ケーブルにより電気的に連結制御される。
【００４０】
第１外観組立体３００は、デッキ組立体１００の一側、即ち、右側一部を覆うように結合される。また、第１外観組立体３００は、デッキ組立体１００に先に組み立てられるリア組立体２００の一側縁部も囲むように結合される。第１外観組立体３００は、モールド物である第１外観ケース３１０と、第１外観ケース３１０に支持される赤外線フィルター操作ユニット３２０とを備える。
【００４１】
第１外観ケース３１０は、デッキユニット１１０のドアフレーム１２３に対応するように形成された開口３１１を持つ。開口３１１はデッキカバー組立体４００により開閉される。
【００４２】
赤外線フィルター操作ユニット３２０は、第１外観ケース３１０に移動可能に設置され、フィルターレバー１４２と連結されてフィルターレバー１４２を連動させる。
【００４３】
また、第１外観ケース３１０には、被写体の焦点距離を調整するためのズームノブ３３０と、静止画を撮影するためのフォトシャッター３４０と、動画撮影と映像撮影などを選択するためのモード選択スィッチ３５０と、レコーディングボタン３６０などが設置される。
【００４４】
ズームノブ３３０とフォトシャッター３４０は、一つのモジュールで一体化されて第１外観ケース３１０の外部へ露出するように第１外観ケース３１０内側に設置される。また、ズームノブ３３０とフォトシャッター３４０とモード選択スィッチ３５０及びレコーディングボタン３６０は、信号ケーブル(図示せず)により全部連結されて統合されたターミナルを通じてメイン基板１３０に連結される。ズームノブ３３０とフォトシャッター３４０とモード選択スィッチ３５０及びレコーディングボタン３６０の中で一部だけ第１外観ケース３１０に設置することもでき、残りは他の組立体に設置することもできる。
【００４５】
デッキカバー組立体４００は、モールド物であるカバーケース４１０と、カバーケース４１０の内側に結合される支持フレーム４２０と、カバーケース４１０の内側に設置されるロッキング/解除ユニット４３０とを備える。
【００４６】
カバーケース４１０は、第１外観ケース３１０の開口３１１に対応する形象の側壁部４１１と、側壁部４１１の下端で折曲されて延長された下側壁４１２とを持つ。下側壁４１２は、デッキユニット１１０の下側を囲んで覆う部位である。
【００４７】
支持フレーム４２０は、金属材質で形成され、デッキハウジング１２０のドアフレーム１２３にねじにより結合される。
【００４８】
ロッキング/解除ユニット４３０は、下側壁４１２の外部へ露出されてスライディングされる解除ノブ４３１(図５参照)と、解除ノブ４３１と連結されるようにスライディングされるフック部材４３３とを備える。フック部材４３３は図示しなかったスプリングにより一側に弾性加圧される。
【００４９】
また、カバーケース４１０には、メモリーカードのような記録媒体が装着される記録媒体装着部４１５が具備される。記録媒体装着部４１５に対応するカバーケース４１０の内側には、記録媒体と連結される回路基板４４０が設置される。
【００５０】
このように構成されるデッキカバー組立体４００は、デッキ組立体１００に第１外観ケース３００を組立てた状態で、図５に示されるように、デッキハウジング１２０のドアフレーム１２３を開放した状態で、その開放されたドアフレーム１２３にデッキカバー組立体４００を載せて、支持フレーム４２０をねじで締結して組立てる。
【００５１】
以上のように構成されたＤＶＣモジュール１０は、デッキ組立体１００のデッキユニット１１０と、第１カメラユニット１４０と、バッテリー状態を制御するリア基板２２０と、ズームノブ３３０と、フォトシャッター３４０と、モード選択スィッチ３５０と、レコーディングボタン３６０と、記録媒体と連結される回路基板４４０などがメイン基板１３０と電気的に連結されて制御されるので、ＤＳＣモジュール２０と結合されなくても、即ち、最終セット組立の前にその部品に対する機能テストが可能である。
【００５２】
図４に示されるように、ＤＳＣモジュール２０は、第２カメラユニット５４０と第１ディスプレーユニット５２０を有し、デッキ組立体１００の他側を囲む第２外観組立体５００及びデッキ組立体１００の上部を覆うように結合され、第２ディスプレーユニット６２０を持つ上部組立体６００で構成される。
【００５３】
第２外観組立体５００は、第２外観ケース５１０と、第２外観ケース５１０の外側に結合される第１ディスプレーユニット５２０と、サブ基板５３０と第２カメラユニット５４０とを備える。
【００５４】
第２外観ケース５１０は、デッキ組立体１００の左側、即ち、メイン基板１３０側面を囲むための外観である。図６に示されるように、第２外観ケース５１０は、プラスチック材質になったモールド物として、外側にディスプレー装着部５１１を有する。ディスプレー装着部５１１は、外側から引入された形象として、第１ディスプレーユニット５２０が収容される。
【００５５】
また、第２外観ケース５１０には、メニュー選択のためのロ−ルスイッチ５１２が具備される。また、ディスプレー装着部５１１を内側で覆うホールカバー５５０にはスピーカーユニット(図示せず)と複数の機能キーが設置される。以外に多様な機能キーも第２外観ケース５１０に備えることができる。
【００５６】
第１ディスプレーユニット５２０は、ＬＣＤパネルであり、第２外観ケース５１０に２軸回転可能に設置される。第１及び第２カメラユニット１４０、５４０で撮影される映像や記録媒体で再生される映像がディスプレーされる。第１ディスプレーユニット５２０はサブ基板５３０にケーブルにより電気的に連結される。
【００５７】
サブ基板５３０は、第２外観ケース５１０の内側に結合される。サブ基板５３０は第１ディスプレーユニット５２０及び第２カメラユニット５４０が電気的に連結される。また、第２外観組立体５００をデッキ組立体１００と結合する時、サブ基板５３０は、メイン基板１３０とＦＰＣ５３１により連結される。このようなサブ基板５３０は、メイン基板１３０と並んで対向するように配置されてＦＰＣにより電気的に連結され、それによって入力された信号または処理された静止画信号をメイン基板１３０に送信するかメイン基板１３０からの制御信号を受信するようになる。そして、上述したロ−ルスイッチ５１２、スピーカーユニット及び機能キーはサブ基板５３０に電気的に連結される。
【００５８】
第２カメラユニット５４０は、主に静止画を撮影することに使われるデジタルスチールカメラである。第２カメラユニット５４０は、第１カメラユニット１４０よりは高画質の映像が撮影できるように一層高い画素数を有するＣＣＤを備えることは当然である。このような第２カメラユニット５４０は、サブ基板５３０の端部に結合される。また、第２外観組立体５００とデッキ組立体１００が互いに組み立てられる時、第２カメラユニット５４０は第１カメラユニット１４０の下方に配置されるようにサブ基板５３０の下端側に結合される。
【００５９】
上部組立体６００は、上部ケース６１０と、第２ディスプレーユニット６２０と、マイクユニット６３０と、フラッシュユニット６４０などを備える。
【００６０】
上部ケース６１０は、デッキ組立体１００の上部を覆うためのもので、第２外観ケース５１０に先に組み立てられる。上部ケース６１０の一端には第２ディスプレーユニット６２０が結合される。第２ディスプレーユニット６２０は、ビューファインダーユニットであることが好ましい。
【００６１】
また、上部ケース６１０には、マイクユニット６３０とフラッシュユニット６４０が外部へ露出するように結合される。本実施例では、第１及び第２カメラユニット１４０、５４０が前方に並んで配置される構造であるから、空間の效率的な活用のためにマイクユニット６３０とフラッシュユニット６４０は製品の上部に位置するように上部ケース６１０に設置されることが好ましい。勿論、マイクユニット６３０とフラッシュユニット６４０の各々は、上述した第１外観組立体３００と第２外観組立体５００及びフロント組立体７００の中で少なくともいずれの１ヶ所に設置させることもできる。フラッシュユニット６４０は、上部ケース６１０の外側に出沒するように設置される。第２ディスプレーユニット６２０とマイクユニット６３０とフラッシュユニット６４０はサブ基板５３０に電気的に連結される。
【００６２】
また、上部ケース６１０には、第２カメラユニット５４０を使うＤＳＣ機能を実行するための各種機能キーモジュール６１１が設置される。機能キーモジュール６１１もサブ基板５３０に電気的に連結される。
【００６３】
以上のように構成されたＤＳＣモジュール２０は、第２カメラユニット５４０で撮影される映像がディスプレーされる第２ディスプレーユニット６２０と、マイクユニット６３０と、フラッシュユニット６４０と、メニュー選択のためのロ−ルスイッチ５１２と、スピーカーユニットと、機能キーなどがサブ基板５３０に電気的に連結されて制御されるので、ＤＶＣモジュール１０と結合されなくても、即ち、最終セット組立の前にその部品に対する機能テストが可能である。
【００６４】
ＤＶＣ及びＤＳＣモジュール１０、２０の前面を密閉するフロント組立体７００は、第１及び第２カメラユニット１４０、５４０が配置された器機の前方を覆うためのものである。このようなフロント組立体７００は、フロントケース７１０と、フロントケース７１０の内側に設置されるセンサーモジュール７２０を備える。フロントケース７１０には、各カメラユニット１４０、５４０に対応するように開放された第１及び第２レンズフード７１１、７１２が具備される。レンズフード７１１、７１２は、上下に配置され、別の部品で製作してフロントケース７１０に組み立てることもできる。
【００６５】
センサーモジュール７２０は、基板上に設置されるリモートコントロールセンサーと、メイン照光センサーと、補助照光センサーと、赤外線発光素子などを備える。このようなセンサーモジュール７２０は、サブ基板５３０またはメイン基板１３０に電気的に連結される。
【００６６】
センサーモジュール７２０に対するテストはフロント組立体７００がＤＶＣ及びＤＳＣモジュール１０、２０に組み立てられた後に実行できる。
【００６７】
以上のように構成された本発明のＤＳＣ一体型デジタルカムコーダ１は、ＤＶＣモジュール１０と、ＤＳＣモジュール２０及びフロント組立体７００で構造及び機能的に分離するように構成されるので、最終セット組立の前にＤＶＣ及びＤＳＣの特性テストが可能であるだけではなくＤＶＣユニットとＤＳＣユニットの組立及び分離が容易になる。
【００６８】
以上で説明したような構成を持つ本発明によるＤＳＣ一体型デジタルカムコーダ１の組立方法について説明すると次のようである。
【００６９】
まず、図２に示されるように、３個の組立体、即ち、ＤＶＣモジュール１０、ＤＳＣモジュール２０及びフロント組立体７００を各々先に組立てる。即ち、このような組立体は互いに違う組立工程を通じて組み立てられる。
【００７０】
より詳しく説明すると、ＤＶＣモジュール１０の場合、デッキ組立体１００にリア組立体２００を組立てる。その後、デッキ組立体１００のデッキハウジング１２０にねじＳ１によりリア組立体２００を締結する。そして、リア組立体２００のリア基板２２０とメイン基板１３０をＦＰＣを利用して電気的に連結する。
【００７１】
次に、第１外観組立体３００をデッキ組立体１００とリア組立体２００にねじにより組立てる。この時、第１外観組立体３００に具備された赤外線フィルター操作ユニット３２０を赤外線フィルター操作レバー１４２と連結させる。そして、第１外観組立体３００に具備された各種装置３３０、３４０、３５０、３６０をＦＰＣを利用してメイン基板１３０と電気的に連結させる。
【００７２】
このようにすると、第１外観ケース３１０の開口３１１を通じてデッキハウジング１２０が右側へ露出される。図５に示されるように、露出された開口でデッキハウジング１２０のドアフレーム１２３をオープンさせる。
【００７３】
ドアフレーム１２３が開放された状態で、デッキカバー組立体４００をドアフレーム１２３に組立てる。具体的には、ドアフレーム１２３の締結部(図示せず)に支持フレーム４２０の締結部４２１、４２２を対応させた状態で、各締結部をねじで組立てる。デッキカバー組立体４００の組立を完了した後、デッキカバー組立体４００を閉めると、４個の組立体１００、２００、３００、４００が結合されたＤＶＣモジュール１０の組立が完了される。
【００７４】
その後、ＤＶＣモジュール１０は、所定のテスト過程、即ち、メイン基板１３０と電気的に連結された構成部品、例えば、デッキ組立体１００のデッキユニット１２０、第１カメラユニット１４０、バッテリー状態を制御するリア基板２２０、ズームノブ３３０、フォトシャッター３４０、モード選択スィッチ３５０、レコーディングボタン３６０、記録媒体と連結される回路基板４４０などの電気的な動作状態及び物理的な動作状態が所定のテスト装置を通じてテストされる。
【００７５】
次に、ＤＳＣモジュール２０の組立の場合、図４に示されるように、第２外観組立体５００に上部組立体６００を組立てる。即ち、第２外観ケース５１０に上部ケース６１０をねじを利用して組立てる。そして、上部組立体６００に具備されたマイクユニット６３０と、フラッシュユニット６４０と、第２ディスプレーユニット６２０などをサブ基板５３０にＦＰＣを利用して電気的に連結する。そのようにすると、ＤＳＣモジュール２０の組立が完了される。
【００７６】
次に、ＤＳＣモジュール２０も別のテスト過程、即ち、サブ基板５３０と電気的に連結された構成部品、例えば、第２カメラユニット５４０で撮影される映像がディスプレーされる第２ディスプレーユニット６２０、マイクユニット６３０、フラッシュユニット６４０、メニュー選択のためのロ−ルスイッチ５１２、スピーカーユニット、機能キーなどの電気的な動作状態及び物理的な動作状態が所定のテスト装置を通じてテストされる。
【００７７】
また、上述のように組み立てられてテストを終えたＤＶＣ及びＤＳＣモジュール１０、２０を、図２に示されるように、互いに対向させた状態で組立てる。即ち、メイン基板１３０とサブ基板５３０を回路ケーブルＣ１、Ｃ２で連結して電気的に連結させる。そして、ＤＳＣモジュール２０の他の回路ケーブル５３１もメイン基板１３０に連結する。そして、各基板１３０、５３０が並んで対向するように接近させて、第１カメラユニット１４０の下部に第２カメラユニット５４０を位置させる。そのようにすると、図６に示されるように、ＤＶＣ及びＤＳＣモジュール１０、２０は互いに結合されてデジタルカムコーダの形態を持つようになる。組み立てた後に、第１及び第２外観ケース３１０、５１０と、上部ケース６１０と、リアケース２１０を互いにねじにより締結させる。
【００７８】
また、ＤＶＣ及びＤＳＣモジュール１０、２０が組み立てられた状態で、図６示されるように、器機の前方でフロント組立体７００を結合し、フロント組立体７００を各外観ケース３１０、５１０と、上部ケース６１０とねじにより締結させるとフロント組立体７００の組み立てが完了される。
【００７９】
その後、最後に、フロント組立体７００のセンサーモジュール７２０、即ち、リモートコントロールセンサー、メイン照光センサー、補助照光センサー、赤外線発光素子に対する機能テストを行い、本発明のＤＳＣ一体型デジタルカムコーダの組み立てが完了される。
【００８０】
以上、本発明の好適な実施の形態について添付の図面を参照して詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【産業上の利用可能性】
【００８１】
本発明はデジタルカムコーダ及びその製造方法に適用されて、最終セット組立の前に特性テストが可能であるだけではなく組立及び分離を容易にして生産性及びＡ／Ｓの便利性を高めるのに利用することができる。
【図面の簡単な説明】
【００８２】
【図１】本発明に係るＤＳＣ一体型デジタルカムコーダを示す斜視図である。
【図２】図１に示したデジタルカムコーダの分解斜視図である。
【図３】図２に示したデジタルカムコーダのＤＶＣモジュールの分解斜視図である。
【図４】図２に示したデジタルカムコーダのＤＳＣモジュールの分解斜視図である。
【図５】図２に示したデジタルカムコーダのＤＶＣモジュールの斜視図である。
【図６】図２でＤＶＣモジュールとＤＳＣモジュールが結合された状態を例示する斜視図である。
【符号の説明】
【００８３】
１      カムコーダ
１０    ＤＶＣモジュール
２０    ＤＳＣモジュール
１００  デッキ組立体
１１０  デッキユニット
１２０  デッキハウジング
１３０  メイン基板
１４０  第１カメラユニット
２００  リア組立体
２１０  リアケース
２２０  リア基板
２３０  バッテリー
３００  第１外観組立体
３１０  第１外観ケース
４００  デッキカバー組立体
４１０  カバーケース
５００  第２外観組立体
５１０  第２外観ケース
５２０  第１ディスプレーユニット
５３０  サブ基板
５４０  第２カメラユニット
６００  上部組立体
６１０  上部ケース
６２０  第２ディスプレーユニット
６３０  マイクユニット
６４０  フラッシュユニット
７００  フロント組立体
７１０  フロントケース
【図１】
2005260952.tif 000003
【図２】
2005260952.tif 000004
【図３】
2005260952.tif 000005
【図４】
2005260952.tif 000006
【図５】
2005260952.tif 000007
【図６】
2005260952.tif 000008